(57)【要約】      （修正有）【課題】側網の重複による無駄が生じず、それにより製造コスト・運搬コストの低減を図ることができ、取り扱い性・作業性をより高め、しかも高い強度の得られる、ドレンカゴを提供する。【解決手段】ドレンカゴ１０は、底網と側網、とを備えてなり、側面のうち一方向が側網の設けられていない開放端部であり、開放端部には、本ドレンカゴ１０と同一形態である別の本ドレンカゴと連結するための連結構造９が設けられている構成である。なお開放端部に対向する面には、側網が設けられている。底網および側網は溶接金網製またはエキスパンドメタル製とすることができる。【選択図】図１
2013014945.tif 000002
【特許請求の範囲】
【請求項１】
ドレンカゴを形成するための屈曲パネルであって、該屈曲パネルは長方形の金網に一または二の屈曲部が形成された形態であり、本屈曲パネルを他の金網製部材と組み合わせることによって、側面一方向または二方向に開放端部が形成されたドレンカゴ構築用ユニットを構成することができる、屈曲パネル。
【請求項２】
前記屈曲パネルは、前記屈曲部が一箇所にのみ設けられた略Ｌ字状であることを特徴とする、請求項１に記載の屈曲パネル。
【請求項３】
前記他の金網製部材は、前記屈曲パネルの略Ｌ字状の形状が現れる開放端部に取り付けられることにより前記ドレンカゴ構築用ユニットを形成可能な、長方形の平面パネルであることを特徴とする、請求項２に記載の屈曲パネル。
【請求項４】
前記屈曲パネルは、これを形成する一方の平面部の形状が略正方形の正方形平面部であることを特徴とする、請求項２に記載の屈曲パネル。
【請求項５】
前記他の金網製部材は、別の本屈曲パネルであり、両屈曲パネルの前記正方形平面部を対向させ、かつそれぞれの他方の平面部同士は隣接するように両屈曲パネルを組み合わせることにより前記ドレンカゴ構築用ユニットを形成可能であることを特徴とする、請求項４に記載の屈曲パネル。
【請求項６】
前記屈曲パネルは、前記屈曲部が二箇所設けられた略コの字状であることを特徴とする、請求項１に記載の屈曲パネル。
【請求項７】
前記他の金網製部材は、前記屈曲パネルの略コの字状の形状が現れる開放端部に取り付けられることにより前記ドレンカゴ構築用ユニットを形成可能な、長方形の平面パネルであることを特徴とする、請求項６に記載の屈曲パネル。
【請求項８】
前記屈曲パネルは溶接金網製、エキスパンドメタル製またはひし形金網製のいずれかであることを特徴とする、請求項１ないし７のいずれかに記載の屈曲パネル。
【請求項９】
請求項２または３に記載の略Ｌ字状の屈曲パネルと、該屈曲パネルの略Ｌ字状の形状が現れる開放端部に取り付けられた他の金網製部材とからなるドレンカゴ構築用ユニットであって、該他の金網部材は長方形の平面パネルであることを特徴とする、ドレンカゴ構築用ユニット。
【請求項１０】
二の請求項４または５に記載の正方形平面部を備えた屈曲パネルが用いられてなるドレンカゴ構築用ユニットであって、両屈曲パネルの該正方形平面部が対向し、かつそれぞれの他方の平面部同士が隣接した状態で両屈曲パネルが組み合わされてなることを特徴とする、ドレンカゴ構築用ユニット。
【請求項１１】
請求項６または７に記載の略コの字状の屈曲パネルと、該屈曲パネルの略コの字状の形状が現れる開放端部に取り付けられた他の金網製部材とからなるドレンカゴ構築用ユニットであって、該他の金網部材は長方形の平面パネルであることを特徴とする、ドレンカゴ構築用ユニット。
【請求項１２】
請求項２または３に記載の略Ｌ字状の屈曲パネルを用い、該屈曲パネルの略Ｌ字状の形状が現れる開放端部に他の金網製部材を取り付けて二の側面方向に開放端部が形成されたドレンカゴ構築用ユニットを組み立て、該ドレンカゴ構築用ユニットの少なくとも一の開放端部方向に別のドレンカゴ構築用ユニットを連結する連結工程を一回以上含む、ドレンカゴ構築方法。
【請求項１３】
二の請求項４または５に記載の正方形平面部を備えた屈曲パネルを用い、両屈曲パネルをその該正方形平面部が対向し、かつそれぞれの他方の平面部同士が隣接した状態で組み合わせて一の側面方向に開放端部が形成されたドレンカゴ構築用ユニットを組み立て、該ドレンカゴ構築用ユニットの開放端部方向または該正方形平面部方向の少なくともいずれか一方向に別のドレンカゴ構築用ユニットを連結する連結工程を一回以上含む、ドレンカゴ構築方法。
【請求項１４】
請求項６または７に記載の略コの字状の屈曲パネルを用い、該屈曲パネルの略コの字状の形状が現れる開放端部に他の金網製部材を取り付けて一の側面方向に開放端部が形成されたドレンカゴ構築用ユニットを組み立て、該ドレンカゴ構築用ユニットの開放端部方向またはこれに交わる方向の少なくともいずれか一方向に別のドレンカゴ構築用ユニットを連結する連結工程を一回以上含む、ドレンカゴ構築方法。
【請求項１５】
請求項１ないし８のいずれかに記載の屈曲パネルを用いて構築されている、ドレンカゴ。
【発明の詳細な説明】
【技術分野】
【０００１】
本発明は内部に石を詰めて各種土木作業において使用するドレンカゴに係り、特に強度に優れ、作業性にも優れる、新規なドレンカゴに関するものである。
【背景技術】
【０００２】
ドレンカゴは、雪解け時の斜面の崩落を防止したい場合等、法面もしくは後背地から発生する湧水による法面土砂の侵食を防止するために使用されているが、その機能・効果は、これが敷設される法面を面的な排水構造にすることである。
【０００３】
図６は、従来のドレンカゴの構造および使用態様を示す側面視の説明図である。図示するように従来はたとえば、現場で、シート状の菱形金網を使い、これを折り曲げたり、起こしたりして単独箱状のドレンカゴ６１０を組み立て、その中に所定の石を投入し、投入後、菱形金網の上蓋６１（蓋網）を被せ、メッキ線等で周囲を結束することで、ドレンカゴ６１０が形成される。
【０００４】
なおドレンカゴについては従来、技術的な提案もなされている。たとえば特許文献１に開示されている技術は、ドレンカゴの部品点数を減らして製品コストを削減することを目的として、ドレンカゴの底網と側網の共通骨線に、側網に対して略直角を呈するカール部を設けるというものである。これにより、カール部の外側部分で人力により骨線を容易に曲げることができるため、コイル材を用いるまでもなく、側網を簡単に立ち上げて成形できるとしている。
【先行技術文献】
【特許文献】
【０００５】
【特許文献１】実用新案登録第３１３３９３７号公報「ドレン篭」
【発明の概要】
【発明が解決しようとする課題】
【０００６】
しかしながら、上記文献に開示されている技術も含め、従来のドレンカゴには問題があった。すなわち従来のドレンカゴは、四つの側面方向全てに側網が設けられた箱状の形態であって、これを所定個数用いて一列になるよう設置するのであるが、設置する面においては、二つのドレンカゴの側網が重複してしまい、無駄が生じている。これは、製造コスト・運搬コストにも影響する。集積にも場所を多く取り、好ましくない。
【０００７】
また、取り扱い性にも影響があり、このことは現場での敷設作業時における作業性にも影響する。さらに、従来のドレンカゴは通常、菱形金網で製作されているが、これは決して十分な強度を備えているとはいえず、敷設作業においても、また法面保護機能の点からも、より高い強度のものとすることが求められている。以上述べた従来の状況・問題点は、上記文献開示技術によっても何ら着目されておらず、当然ながら解決できるものでもない。
【０００８】
そこで本発明が解決しようとする課題は、かかる従来技術の問題点を踏まえ、側網の重複による無駄が生じず、ないしは無駄を軽減でき、それにより製造コスト・運搬コストの低減を図ることができ、さほど場所を取らずに集積もしやすく、取り扱い性・作業性をより高め、しかも高い強度の得られる、ドレンカゴおよびこれに関する技術を提供することである。
【課題を解決するための手段】
【０００９】
本願発明者は上記課題について検討した結果、ドレンカゴを形成するための略Ｌ字状や略コの字状の金網製のパネルを用いることによって課題解決が可能であることに想到し、本発明に至った。すなわち、上記課題を解決するための手段として本願で特許請求される発明、もしくは少なくとも開示される発明は、以下の通りである。
【００１０】
（１）  ドレンカゴを形成するための屈曲パネルであって、該屈曲パネルは長方形の金網に一または二の屈曲部が形成された形態であり、本屈曲パネルを他の金網製部材と組み合わせることによって、側面一方向または二方向に開放端部が形成されたドレンカゴ構築用ユニットを構成することができる、屈曲パネル。
（２）  前記屈曲パネルは、前記屈曲部が一箇所にのみ設けられた略Ｌ字状であることを特徴とする、（１）に記載の屈曲パネル。
（３）  前記他の金網製部材は、前記屈曲パネルの略Ｌ字状の形状が現れる開放端部に取り付けられることにより前記ドレンカゴ構築用ユニットを形成可能な、長方形の平面パネルであることを特徴とする、（２）に記載の屈曲パネル。
（４）  前記屈曲パネルは、これを形成する一方の平面部の形状が略正方形の正方形平面部であることを特徴とする、（２）に記載の屈曲パネル。
（５）  前記他の金網製部材は、別の本屈曲パネルであり、両屈曲パネルの前記正方形平面部を対向させ、かつそれぞれの他方の平面部同士は隣接するように両屈曲パネルを組み合わせることにより前記ドレンカゴ構築用ユニットを形成可能であることを特徴とする、（４）に記載の屈曲パネル。
【００１１】
（６）  前記屈曲パネルは、前記屈曲部が二箇所設けられた略コの字状であることを特徴とする、（１）に記載の屈曲パネル。
（７）  前記他の金網製部材は、前記屈曲パネルの略コの字状の形状が現れる開放端部に取り付けられることにより前記ドレンカゴ構築用ユニットを形成可能な、長方形の平面パネルであることを特徴とする、（６）に記載の屈曲パネル。
（８）  前記屈曲パネルは溶接金網製、エキスパンドメタル製またはひし形金網製のいずれかであることを特徴とする、（１）ないし（７）のいずれかに記載の屈曲パネル。
【００１２】
（９）（２）または（３）に記載の略Ｌ字状の屈曲パネルと、該屈曲パネルの略Ｌ字状の形状が現れる開放端部に取り付けられた他の金網製部材とからなるドレンカゴ構築用ユニットであって、該他の金網部材は長方形の平面パネルであることを特徴とする、ドレンカゴ構築用ユニット。
（１０）  二の（４）または（５）に記載の正方形平面部を備えた屈曲パネルが用いられてなるドレンカゴ構築用ユニットであって、両屈曲パネルの該正方形平面部が対向し、かつそれぞれの他方の平面部同士が隣接した状態で両屈曲パネルが組み合わされてなることを特徴とする、ドレンカゴ構築用ユニット。
（１１）  （６）または（７）に記載の略コの字状の屈曲パネルと、該屈曲パネルの略コの字状の形状が現れる開放端部に取り付けられた他の金網製部材とからなるドレンカゴ構築用ユニットであって、該他の金網部材は長方形の平面パネルであることを特徴とする、ドレンカゴ構築用ユニット。
【００１３】
（１２）  （２）または（３）に記載の略Ｌ字状の屈曲パネルを用い、該屈曲パネルの略Ｌ字状の形状が現れる開放端部に他の金網製部材を取り付けて二の側面方向に開放端部が形成されたドレンカゴ構築用ユニットを組み立て、該ドレンカゴ構築用ユニットの少なくとも一の開放端部方向に別のドレンカゴ構築用ユニットを連結する連結工程を一回以上含む、ドレンカゴ構築方法。
（１３）  二の（４）または（５）に記載の正方形平面部を備えた屈曲パネルを用い、両屈曲パネルをその該正方形平面部が対向し、かつそれぞれの他方の平面部同士が隣接した状態で組み合わせて一の側面方向に開放端部が形成されたドレンカゴ構築用ユニットを組み立て、該ドレンカゴ構築用ユニットの開放端部方向または該正方形平面部方向の少なくともいずれか一方向に別のドレンカゴ構築用ユニットを連結する連結工程を一回以上含む、ドレンカゴ構築方法。
（１４）  （６）または（７）に記載の略コの字状の屈曲パネルを用い、該屈曲パネルの略コの字状の形状が現れる開放端部に他の金網製部材を取り付けて一の側面方向に開放端部が形成されたドレンカゴ構築用ユニットを組み立て、該ドレンカゴ構築用ユニットの開放端部方向またはこれに交わる方向の少なくともいずれか一方向に別のドレンカゴ構築用ユニットを連結する連結工程を一回以上含む、ドレンカゴ構築方法。
（１５）  （１）ないし（８）のいずれかに記載の屈曲パネルを用いて構築されている、ドレンカゴ。
【発明の効果】
【００１４】
本発明の屈曲パネル、ドレンカゴ構築用ユニット、ドレンカゴ構築方法およびドレンカゴは上述のように構成されるため、これによれば、側網の重複による無駄が生じず、ないしは軽減でき、それにより製造コスト・運搬コストの低減を図ることができる。また、さほど場所を取らないため、集積もしやすい。また、取り扱い性や作業性をより高めることができる。また本発明によれば、高い強度を得ることができる。
【００１５】
また、たとえば、複数の屈曲パネルや金網製部材をまとめておきたい際には、従来よりもまとめられる数が多くなり、便利になるなど、取り扱い性が改善される。したがって、現場でのドレンカゴ敷設作業時における作業性も高まる。さらに、溶接金網製の屈曲パネルや金網製部材とすることによって、従来よりも強度を高めることができるため、敷設作業もしやすく、また法面保護機能も高めることができる。
【００１６】
また本発明によれば、屋外の、しかも風・雨・雪といった自然条件の影響を直接受ける状況での作業となるドレンカゴの敷設作業の苦労、過酷さを、根本的に解消することができる。またこのことは、上述のとおり作業効率を大いに向上させ、作業性を高めることに直接つながり、工期を短縮させることができ、その後の作業や工程を加速することができ、ひいては工事目的の構造物等における生産・製造活動の開始を、早めることができる。 
【００１７】
また本発明による作業労力軽減効果の改善は、かかる作業に従事することの多い老年者・高齢者にとっては特に喜ばれることであり、人に優しい、人間性重視の生産活動の一つとしても、大いに意義を有するものである。
【図面の簡単な説明】
【００１８】
【図１】本発明屈曲パネルの構成の一つを示す斜視の説明図である。
【図１−２】図１に示す屈曲パネルを用いて構築されるドレンカゴの基本構成およびその連結体の基本構成例を示す斜視図である。
【図２】本発明屈曲パネルの構成の一つについて、別の実施方法を示す斜視の説明図である。
【図２−２】図２に示す屈曲パネルを用いて構築されるドレンカゴの基本構成およびその連結体の基本構成を示す斜視図である。
【図３】本発明屈曲パネルの別の構成を示す斜視の説明図である。
【図４】本発明屈曲パネルのまた別の構成について示す斜視の説明図である。
【図４−２】図４に示す屈曲パネルを用いて構築されるドレンカゴの基本構成およびその連結体の基本構成を示す斜視図である。
【図４−３】図４−２の平面図である。
【図４−４】図４に示した屈曲パネルについて、別の実施方法を示す斜視の説明図である。
【図５】本発明ドレンカゴ等における結合方法例を示す説明図である。
【図６】従来のドレンカゴの構造および使用態様を示す側面視の説明図である。
【発明を実施するための形態】
【００１９】
以下、図面により本発明を詳細に説明する。なお、各図面においては、後記各屈曲パネルや他の金網部材はそれぞれ一定の厚さを備えたものとして示すが、これらはいずれも金網製であるところのものを、いわば模式的に示したものである。
図１は、本発明屈曲パネルの構成の一つを示す斜視の説明図である。また、
図１−２は、図１に示す屈曲パネルを用いて構築されるドレンカゴの基本構成およびその連結体の基本構成を示す斜視図である。これらに図示するように本屈曲パネル１０は、ドレンカゴを形成するための金網製のパネルであって、長方形の金網１に一つの屈曲部２Ｃが形成されて略Ｌ字状の形態であり、これにより金網１には第一網部３と第二網部４が形成されていることを、主たる構成とする。なお第二網部４の形状は長方形であるが、各図では長方形の一例である略正方形の場合を示している。また図においては、第一網部３はドレンカゴの底網、第二網部４は側網の一つを形成することになる。
【００２０】
本屈曲パネル１０は、これを他の金網製部材９と組み合わせることによって、側面二方向に開放端部が形成されたドレンカゴ構築用ユニット２０を構成することができる。他の金網製部材９としては、屈曲パネル１０の略Ｌ字状の形状が現れる開放端部に取り付けられることによって、ドレンカゴ構築用ユニット２０を形成可能な、長方形の平面パネルが用いられる。
【００２１】
かかる構成により、本発明屈曲パネル１０の略Ｌ字状形状が現れる開放端部に他の金網製部材９が取り付けられて、ドレンカゴ構築用ユニット２０が形成される。図示するようにドレンカゴ構築用ユニット２０は、側面二方向に開放端部が形成された形態となる。
【００２２】
屈曲パネル２０や他の金網製部材９としては特に、溶接金網またはエキスパンドメタルを用いるものとすることができる。これらの材料によれば、従来の菱形金網製のものを用いる場合と比べて最終的に構築されるドレンカゴ全体が堅固になり、耐久性にも優れ、敷設作業時においても作業性がよく、堅牢なドレンカゴ連結体として敷設することができる。なお、ドレンカゴの蓋網にも溶接金網やエキスパンドメタルを用いることができる。またこれは、以下説明する全ての屈曲パネル、金網製部材およびドレンカゴについても同様である。
【００２３】
図１−２に示すように、ドレンカゴ構築用ユニット２０を複数用い、ドレンカゴ構築用ユニット２０の少なくとも一の開放端部方向に別のドレンカゴ構築用ユニット２０を連結する連結工程を一回以上行うことによって、ドレンカゴやドレンカゴ連結体５０を構築していくことができる。このとき、適宜に他の部材を側網として補ってもよい。
【００２４】
たとえば、一のドレンカゴ構築用ユニット２０の一方の開放端部方向には他のドレンカゴ構築用ユニット２０を連結し、他方の開放端部方向には長方形の金網を連結すれば、四枚全ての側網が揃ったドレンカゴが形成される。後はこれに、蓋網を被せ連結すれば一つのドレンカゴは完成する。
【００２５】
図示するように、ドレンカゴ構築用ユニット２０を連結して伸長していく方向は、両方向でもよいし、またいずれか一方のみでもよい。連結する個数も任意である。いずれにしても、最終的には全てのドレンカゴの上には蓋網が被せられ連結されて、ドレンカゴおよびドレンカゴ連結体５０は完成する。
【００２６】
本発明によれば、隣接する二つのドレンカゴの間で側網部が重複することがなく、従来のような無駄が生じない。これは、隣接する二つのドレンカゴにおいて側網を共用する構造となるからである。したがって、製造コスト・運搬コストを低減でき、集積もしやすく、取り扱い性や作業性がよい。
【００２７】
図２は、本発明屈曲パネルの構成の一つについて、別の実施方法を示す斜視の説明図である。また、
図２−２は、図２に示す屈曲パネルを用いて構築されるドレンカゴの基本構成およびその連結体の基本構成を示す斜視図である。これらに図示するように本屈曲パネル２１０は、図１等に示した実施方法とは異なり屈曲パネル２１０の第一網部２３および第二網部２４がいずれも側網になるように立てて用い、他の金網製部材２９が底網になるようにして両者を組み合わせ、連結して、ドレンカゴ構築用ユニット２２０とすることができる。なお第二網部２４の形状は長方形であるが、各図では長方形の一例である正方形の場合を示している。
【００２８】
図２−２に示すように、ドレンカゴ構築用ユニット２２０を複数用い、ドレンカゴ構築用ユニット２２０の少なくとも一の開放端部方向に別のドレンカゴ構築用ユニット２２０を連結する連結工程を一回以上行うことによって、ドレンカゴやドレンカゴ連結体２５０を構築していくことができる。このとき、適宜に他の部材を側網として補ってもよい。
【００２９】
たとえば、一のドレンカゴ構築用ユニット２２０の一方の開放端部方向には他のドレンカゴ構築用ユニット２２０を連結し、他方の開放端部方向には長方形の金網を連結すれば、四枚全ての側網が揃ったドレンカゴが形成される。後はこれに、蓋網を被せ連結すれば一つのドレンカゴは完成する。
【００３０】
図示するように、ドレンカゴ構築用ユニット２２０を連結して伸長していく方向は、両方向でもよいし、またいずれか一方のみでもよい。連結する個数も任意である。いずれにしても、最終的には全てのドレンカゴの上には蓋網が被せられ連結されて、ドレンカゴおよびドレンカゴ連結体２５０は完成する。
【００３１】
本発明によれば、隣接する二つのドレンカゴの間で側網部が重複することがなく、従来のような無駄が生じない。これは、隣接する二つのドレンカゴにおいて側網を共用する構造となるからである。したがって、製造コスト・運搬コストを低減でき、集積もしやすく、取り扱い性や作業性がよい。
【００３２】
図３は、本発明屈曲パネルの別の構成を示す斜視の説明図である。図示するように本屈曲パネル３１０ａ（または３１０ｂ）は、これを形成する第一網部３３ａ（３３ｂ）と第二網部３４ａ（３４ｂ）のうちの第一網部３３ａ（３３ｂ）の形状が、略正方形の正方形平面部であることを、特徴的な構成とする。
【００３３】
本屈曲パネル３１０ａに、他の金網製部材として別の本屈曲パネル３１０ｂを組み合わせ、連結することで、ドレンカゴ構築用ユニット３２０を形成することができる。すなわち、両屈曲パネル３１０ａ、３１０ｂの正方形平面部（第一網部３３ａ、３３ｂ）を対向させ、かつそれぞれの他方の平面部（第二網部３４ａ、３４ｂ）同士は隣接するように両屈曲パネル３１０ａおよび３１０ｂを組み合わせることによって、ドレンカゴ構築用ユニット３２０が形成される。
【００３４】
なお、全く同一の屈曲パネル３１０ａを二つ用いて本図に示す実施方法にてドレンカゴ構築用ユニット３２０を形成しようとすると、厳密には寸分違わぬ組み合わせにはならないが、実際のドレンカゴ設置作業においては、特に支障なく、実用性十分なドレンカゴ構築用ユニット３２０を形成することができる。一方また、本図の実施方法によるドレンカゴ構築用ユニット形成を厳密に寸法の合ったものにするために、屈曲パネル３１０ａと３１０ｂを異なるサイズのものとして構成することとしてもよい。
【００３５】
ドレンカゴ構築用ユニット３２０を複数用い、ドレンカゴ構築用ユニット２２０の開放端部方向に別のドレンカゴ構築用ユニット３２０を連結する連結工程を一回以上行うことによって、ドレンカゴやドレンカゴ連結体を構築していくことができる。なおまた、側網が一部重複することにはなるが、正方形平面部（第一網部３３ａ、３３ｂ）方向へ連結させつつ、開放端部には別途他の部材（金網）を補って側網として、さらに最終的には蓋網による被覆も行って、ドレンカゴの形成やドレンカゴ連結体を構築することもできる。
【００３６】
本例の屈曲パネル３１０ａ等によれば、図１、２等で先に示した例の屈曲パネル１０、２１０の場合と違って、ドレンカゴ構築用ユニット３２０を形成する際に別途他の金網製部材を用いる必要がない。したがって、厳密に寸法を合わせる必要がない限り、一種類の部材（屈曲パネル３１０ａ等）のみを用意するだけで、ドレンカゴ構築用ユニット３２０を形成することができ、部品点数を軽減できる。
【００３７】
図４は、本発明屈曲パネルのまた別の構成について示す斜視の説明図である。また、
図４−２は、図４に示す屈曲パネルを用いて構築されるドレンカゴの基本構成およびその連結体の基本構成を示す斜視図、そして、
図４−３は、図４−２のドレンカゴおよびドレンカゴ連結体の基本構成の平面図である。これらに図示するように本屈曲パネル４１０は、ドレンカゴを形成するための金網製のパネルであって、長方形の金網４１に二つの屈曲部４２Ｃおよび４５Ｃが形成された略コの字状の形態であり、これにより金網４１には第一網部４３、第二網部４４および第三網部４６が形成されていることを、主たる構成とする。
【００３８】
なお第二網部４４および第三網部４６の形状はいずれも長方形であるが、各図では長方形の一例である略正方形の場合を示している。また図においては、第一網部４３はドレンカゴの底網、第二網部４４および第三網部４６は対向する側網を形成することになる。また、屈曲パネル４２０や他の金網製部材４９としては特に、溶接金網またはエキスパンドメタルを好適に使用できることについては、上述のとおりである。
【００３９】
本屈曲パネル４１０は、これを他の金網製部材４９と組み合わせることによって、側面一方向に開放端部が形成されたドレンカゴ構築用ユニット４２０を構成することができる。他の金網製部材４９としては、屈曲パネル４１０の略コの字状の形状が現れる開放端部に取り付けられることによって、ドレンカゴ構築用ユニッ４２０トを形成可能な、長方形の平面パネルが用いられる。
【００４０】
かかる構成により、本発明屈曲パネル４１０の略コの字状形状が現れる開放端部に他の金網製部材４９が取り付けられて、ドレンカゴ構築用ユニット４２０が形成される。図示するようにドレンカゴ構築用ユニット４２０は、側面一方向に開放端部が形成された形態となる。
【００４１】
図４−２、図４−３に示すように、ドレンカゴ構築用ユニット４２０を複数用い、ドレンカゴ構築用ユニット４２０の開放端部方向に別のドレンカゴ構築用ユニット４２０を連結する連結工程を一回以上行うことによって、ドレンカゴやドレンカゴ連結体４５０を構築していくことができる。本屈曲パネル４１０を用いる場合は既に述べたL字状形状の屈曲パネル１０等と比べて、他の部材を側網として補うことはさほど要請されず、ドレンカゴ構築用ユニット４２０を連続的に連結することで、四枚全ての側網が揃ったドレンカゴが形成されていく。後はこれに、蓋網を被せ連結すればドレンカゴとしての形態は完成する。
【００４２】
図示するように、ドレンカゴ構築用ユニット４２０を連結して伸長していく方向は、両方向でもよいし、またいずれか一方のみでもよい。連結する個数も任意である。いずれにしても、最終的には全てのドレンカゴの上には蓋網が被せられ連結されて、ドレンカゴおよびドレンカゴ連結体４５０は完成する。
【００４３】
本発明によれば、隣接する二つのドレンカゴの間で側網部が一部重複するが、それでも従来のドレンカゴと比較すれば重複は少なくとどめることができる。したがって、製造コスト・運搬コストを低減でき、集積もしやすく、取り扱い性や作業性がよい。
【００４４】
図４−４は、図４に示した屈曲パネルについて、別の実施方法を示す斜視の説明図である。図示するように本屈曲パネル５１０は、図４に示した実施方法とは異なり屈曲パネル４１０の第一網部５３、第二網部５４および第三網部５６がいずれも側網になるように立てて用い、他の金網製部材５９が底網になるようにして両者を組み合わせ、連結して、ドレンカゴ構築用ユニット５２０とすることができる。なお第二網部５４および第三網部５６の形状はいずれも長方形であるが、上述の他の例と同様、図では長方形の一例である正方形の場合を示している。また、本屈曲パネル５１０を用いたドレンカゴ構築用ユニット５２０によって、図４−２等に示したようなドレンカゴを形成し、およびドレンカゴ連結体を構築することができる。
【００４５】
図５は、本発明ドレンカゴ等における結合方法例を示す説明図である。結合方法はここに図示する方法に限定されないが、このように側網の端部をＬ字状、あるいはＵ字状に曲げて底網に差し込むようにすることで、容易に両者を結合させることができる。なお、側網−側網間、側網−底網間、側網−蓋網間の結合は、コイル・クリップ・結束線等、適宜の方法を用いて行うものとすることができる。
【００４６】
なおまた、蓋網の結合については、ドレンカゴ連結体の上面全部を被覆できる蓋網を被せ取り付ける方法、単体のドレンカゴごとに蓋網を取り付ける方法、、単体のドレンカゴ二個以上に亘ってその上面を被覆できる蓋網を取り付ける方法、いずれでもよい。
【産業上の利用可能性】
【００４７】
本発明の屈曲パネル、ドレンカゴ構築用ユニット、ドレンカゴ構築方法およびドレンカゴによれば、側網の重複による無駄が生じず、ないしは軽減でき、それにより製造コスト・運搬コストの低減を図ることができ、集積もしやすく、取り扱い性や作業性をより高められ、さらに高い強度を得ることができる。また自然条件の影響を直接受ける状況での作業となるドレンカゴの敷設作業の苦労、過酷さを、根本的に解消し、作業性を高め、工期を短縮することができる。したがって、関連する全ての産業分野において産業上利用性が高い発明である。
【符号の説明】
【００４８】
１、２１、３１ａ、３１ｂ、４１、５１…長方形の金網
２Ｃ、２２Ｃ、３２Ｃａ、３２Ｃｂ、４２Ｃ、４５Ｃ、５２Ｃ、５５Ｃ…屈曲部
３、２３、３３ａ、３３ｂ、４３、５３…第一網部
４、２４、３４ａ、３４ｂ、４４、５４…第二網部
４６、５６…第三網部
９、２９、４９、５９…他の金網製部材
１０、２１０、３１０ａ、３１０ｂ、４１０、５１０…屈曲パネル
２０、２２０、３２０、４２０、５２０…ドレンカゴ構築用ユニット
５０、２５０、４５０…ドレンカゴ連結体
【図１】
2013014945.tif 000003
【図１−２】
2013014945.tif 000004
【図２】
2013014945.tif 000005
【図２−２】
2013014945.tif 000006
【図３】
2013014945.tif 000007
【図４】
2013014945.tif 000008
【図４−２】
2013014945.tif 000009
【図４−３】
2013014945.tif 000010
【図４−４】
2013014945.tif 000011
【図６】
2013014945.tif 000012
【図５】
2013014945.tif 000013